(57)【要約】【課題】  両面記録時の記録媒体のセッティングを高精度に行うことができる記録装置を提供すること。【解決手段】  記録媒体のセッティング時に当該記録媒体の先端に当接し、当該記録媒体を位置決めして表裏面の記録位置ズレを減少させる位置決め手段２１０を備える。これにより、記録媒体の先端を基準に記録媒体を位置決めすることができるので、記録媒体を高精度にセッティングすることができ、さらに、記録媒体のセッティング時にスキューが若干発生した場合でも、記録搬送時に記録媒体の側端面が捲れて変形することは無く、記録媒体の表裏面の記録精度を向上させることができる。【選択図】      図４
2005066966.tif 000002
【特許請求の範囲】
【請求項１】
記録媒体を搬送して表面に記録した後、裏返された当該記録媒体を搬送して裏面に記録する記録装置であって、
前記記録媒体のセッティング時に当該記録媒体の先端に当接し、当該記録媒体を位置決めして表裏面の記録位置ズレを減少させる位置決め手段を備えたことを特徴とする記録装置。
【請求項２】
前記位置決め手段は、記録テーブルにて上下動自在に配設されており、上昇して前記記録テーブルから突出し、下降して前記記録テーブルに収納されることを特徴とする請求項１に記載の記録装置。
【請求項３】
前記位置決め手段は、搬送直交方向の移動に伴いカム機構もしくはリンク機構により上下動することを特徴とする請求項２に記載の記録装置。
【請求項４】
前記位置決め手段は、記録テーブルにて搬送方向に揺動自在に配設されており、一方側に揺動して前記記録テーブルから突出し、他方側へ揺動して前記記録テーブルに収納されることを特徴とする請求項１に記載の記録装置。
【請求項５】
前記位置決め手段は、前記記録テーブルに設けられたカッタ溝内に配設されていることを特徴とする請求項１〜４の何れか一項に記載の記録装置。
【請求項６】
前記位置決め手段は、前記記録媒体の先端の一部に当接可能に設置されていることを特徴とする請求項１〜５の何れか一項に記載の記録装置。
【請求項７】
前記位置決め手段は、搬送直交方向に移動自在であって前記記録媒体の両側縁部を押える押え部材に形成されていることを特徴とする請求項１に記載の記録装置。
【請求項８】
前記位置決め手段は、接地可能な帯電防止材が貼着されていることを特徴とする請求項１〜７の何れか一項に記載の記録装置。
【発明の詳細な説明】
【技術分野】
【０００１】
本発明は、記録媒体を搬送して表面に記録した後、裏返された当該記録媒体を搬送して裏面に記録する両面記録可能な記録装置に関する。
【背景技術】
【０００２】
従来の記録装置の１つである大型のプリンタには、記録媒体であるカット紙の両面に記録可能なものがある。このようなプリンタは、通常、カット紙の表面に一旦記録した後、ユーザがそのカット紙を裏返すことによりカット紙の裏面に記録するようになっている。このように両面記録の際はユーザがカット紙をセッティングする必要があるため、カット紙の表裏面の記録位置にズレが発生し易い。
【０００３】
このため、記録テーブル上にカット紙の先端または右側端もしくは左側端を合わせるためのマーキングが付けられたプリンタが開発されている。ところが、このようなプリンタであっても、カット紙の先端または右側端もしくは左側端をマーキングに高精度に合わせることには限界がある。一方、両面記録に使用されるものではないが、記録テーブル上にカット紙の右側端を合わせるためのガイドが設けられたプリンタが提案されており、このガイドを両面記録の際のカット紙のセッティングに利用することも可能である。
【０００４】
【特許文献１】特開平５−３２３５７号公報
【特許文献２】特開２００２−１３７８５１号公報
【特許文献３】特開平１１−１３０２９９号公報
【発明の開示】
【発明が解決しようとする課題】
【０００５】
上述した従来のガイドが設けられたプリンタのうち特許文献１、２に開示されているプリンタは、カット紙のセッティング時に若干でもスキューが発生した場合、記録搬送時にカット紙の右側端面がガイドにより捲れて変形するおそれがある。一方、特許文献３に開示されているプリンタは、このような捲れを回避するためにカット紙と当接するガイド面に起毛が付加されている。しかし、このような起毛をガイドに付加することは、コスト的に高価となり、耐久性に課題があり、腰の弱い薄紙やフィルム等には効果が期待できないという問題がある。
【０００６】
本発明は、上記のような種々の課題に鑑みなされたものであり、その目的は、両面記録時の記録媒体のセッティングを高精度に行うことができる記録装置を提供することにある。
【課題を解決するための手段】
【０００７】
上記目的達成のため、本発明の記録装置では、記録媒体を搬送して表面に記録した後、裏返された当該記録媒体を搬送して裏面に記録する記録装置であって、前記記録媒体のセッティング時に当該記録媒体の先端に当接し、当該記録媒体を位置決めして表裏面の記録位置ズレを減少させる位置決め手段を備えたことを特徴としている。これにより、記録媒体の先端を基準に記録媒体を位置決めすることができるので、記録媒体を高精度にセッティングすることができ、さらに、記録媒体のセッティング時にスキューが若干発生した場合でも、記録搬送時に記録媒体の側端面が捲れて変形することは無く、記録媒体の表裏面の記録精度を向上させることができる。
【０００８】
また、前記位置決め手段は、記録テーブルにて上下動自在に配設されており、上昇して前記記録テーブルから突出し、下降して前記記録テーブルに収納されることを特徴としている。これにより、記録媒体への記録時には位置決め手段を退避させておくことができるので、位置決め手段と記録媒体との無用な干渉を防止することができる。また、前記位置決め手段は、搬送直交方向の移動に伴いカム機構もしくはリンク機構により上下動することを特徴としている。これにより、簡易な機構で位置決め手段の上下動を実現することができるので、コスト的に安価なものとすることができる。
【０００９】
また、前記位置決め手段は、記録テーブルにて搬送方向に揺動自在に配設されており、一方側に揺動して前記記録テーブルから突出し、他方側へ揺動して前記記録テーブルに収納されることを特徴としている。これにより、記録媒体への記録時には位置決め手段を退避させておくことができるので、位置決め手段と記録媒体との無用な干渉を防止することができる。
【００１０】
また、前記位置決め手段は、前記記録テーブルに設けられたカッタ溝内に配設されていることを特徴としている。これにより、既存の部材に位置決め手段を設けることができるので、簡易な構成であってコスト的にさらに安価なものとすることができる。また、前記位置決め手段は、前記記録媒体の先端の一部に当接可能に設置されていることを特徴としている。これにより、例えば記録テーブルの右側端側のみに位置決め手段を設けることにより、簡易な構成であってコスト的により安価なものとすることができる。
【００１１】
また、前記位置決め手段は、搬送直交方向に移動自在であって前記記録媒体の両側縁部を押える押え部材に形成されていることを特徴としている。これにより、既存の部材に位置決め手段を設けることができるので、簡易な構成であってコスト的にさらに安価なものとすることができる。また、前記位置決め手段は、接地可能な帯電防止材が貼着されていることを特徴としている。これにより、記録媒体のセッティングと静電気放出を同時に行うことができる。
【発明を実施するための最良の形態】
【００１２】
図１は、本発明の実施の形態に係る記録装置の１つであるインクジェット式プリンタの構成例を示す斜視図、図２は、その主要部の内部構成例を示す斜視図、図３は、その断面図である。図１〜図３に示すインクジェット式プリンタ１００は、例えばＪＩＳ規格のＡ１判やＪＩＳ規格のＢ１判といった比較的大型のサイズのカット紙やそれらの用紙幅を有するロール紙に記録できる大型のプリンタである。このインクジェット式プリンタ１００は、本体部１１０内に記録部１２０と排紙部１３０と本発明の特徴的な部分であるカット紙及びロール紙の位置決め手段２００が配設され、本体部１１０を支える脚部１４０の間にロール紙の給紙部１５０が配設された構成となっている。
【００１３】
本体部１１０は、図１〜図３に示すように、記録部１２０と排紙部１３０を覆うプラスチックあるいは板金でなるハウジング１１１を備えている。そして、このハウジング１１１は、図１〜図３に示すように、上面及び前面が開放可能なように半透明もしくは透明のプラスチックあるいは板金でなる上蓋１１２及び前蓋１１３が配設されている。
【００１４】
上蓋１１２は、図１〜図３に示すように、後部が回動可能に支持されており、ユーザが前部を持って押し上げ、あるいは押し下げることにより開閉するようになっている。ユーザは、上蓋１１２を開けることにより記録部１２０及び排紙部１３０の上方を大きく開放することができるので、記録ヘッド１２１やキャリッジ１２２等のメンテナンス作業及び記録中や排紙中における紙ジャム等の用紙搬送エラーの解除作業等を容易に行うことができる。
【００１５】
前蓋１１３は、図１〜図３に示すように、下部が回動可能に支持されており、ユーザが上部を持って押し下げ、あるいは押し上げることにより開閉するようになっている。ユーザは、前蓋１１３を開けることにより記録部１２０及び排紙部１３０の下方を大きく開放することができるので、給紙中における紙ジャム等の用紙搬送エラーの解除作業等を容易に行うことができる。
【００１６】
また、本体１１０の前面側から見て右側下部には、図１及び図２に示すように、各色のインクカートリッジ１０を収納保持するホルダ本体１６１とその前面を覆うカバー１６２を有するインクカートリッジホルダ１６０が配設されている。このカバー１６２は、下部がホルダ本体１６１に対し回動可能に支持されており、ユーザが上部を持って押し下げ、あるいは押し上げることにより開閉するようになっている。ユーザは、カバー１６２を開けることによりホルダ本体１６１を大きく開放することができるので、インクカートリッジ１０の交換作業等を容易に行うことができる。
【００１７】
さらに、本体１１０の前面側から見て右側上部には、図１及び図２に示すように、ユーザが記録制御等を操作するための操作パネル１７０が配設されている。この操作パネル１７０は、液晶画面と各種ボタンが配設されており、ユーザが液晶画面を見て確認しながらボタン操作できるようになっている。ユーザは、視認による確実な操作を行うことができるので、動作エラーや動作ミス等を無くすことができる。
【００１８】
記録部１２０は、図２及び図３に示すように、記録ヘッド１２１を搭載したキャリッジ１２２、記録ヘッド１２１と記録を実行するための図示しない制御部とを電気的に接続するフレキシブルフラットケーブル（以下、ＦＦＣという）１２３、記録ヘッド１２１とインクが入ったインクカートリッジ１０とをつなぐインクチューブ１２４を備えている。さらに、記録部１２０は、カット紙やロール紙を副走査方向に搬送する紙送りローラ１２５とその従動ローラ１２６、記録ヘッド１２１の下方に配設された記録テーブル１２９、カット紙やロール紙の浮き上がりを防止する図示しない紙吸引手段等を備えている。
【００１９】
記録ヘッド１２１は、ブラックインクを吐出するブラックインク用記録ヘッドと、ダークイエロー、イエロー、ライトシアン、シアン、ライトマゼンタ、マゼンタ等の各色のインクを吐出する複数のカラーインク用記録ヘッドとを備えている。そして、記録ヘッド１２１は、圧力発生室とそれに繋がるノズル開口が設けられており、圧力発生室内にインクを貯留して所定圧で加圧することにより、ノズル開口からカット紙やロール紙に向けてコントロールされた大きさのインク滴を吐出するようになっている。
【００２０】
キャリッジ１２２は、図２に示すように、主走査方向に設けられているレール１２７にベアリングを介して載置され、キャリッジベルト１２８に連結されている。そして、キャリッジ１２２は、図示しないキャリッジ駆動装置によってキャリッジベルト１２８が作動すると、キャリッジベルト１２８の動きに連行され、レール１２７に案内されて往復移動するようになっている。ＦＦＣ１２３は、一端が制御部のコネクタに接続され、他端が記録ヘッド１２１のコネクタに接続されており、記録信号を制御部から記録ヘッド１２１に送るようになっている。
【００２１】
インクチューブ１２４は、上記各色のインク用が配設されており、図示しないインク加圧供給手段を介して各一端が対応する各色のインクカートリッジ１０に繋がれ、各他端が対応する各色の記録ヘッド１２１に繋がれている。そして、インクチューブ１２４は、インク加圧供給手段によって加圧された各色のインクをインクカートリッジ１０から記録ヘッド１２１に送るようになっている。
【００２２】
紙送りローラ１２５は、図示しないモータから伝達される駆動力により正逆回転駆動するようになっている。従動ローラ１２６は、バネ等の付勢部材により紙送りローラ１２５に押圧されており、紙送りローラ１２５の正逆回転駆動に追従して正逆回転するようになっている。そして、紙送りローラ１２５とその従動ローラ１２６は、給紙されるカット紙やロール紙を挟持して送り出すようになっている。
【００２３】
排紙部１３０は、図２及び図３に示すように、カット紙やロール紙を副走査方向に搬送して排紙する排紙ローラ１３１とその従動ローラ１３２、カット紙やロール紙を排紙口１３３へ案内するガイド板１３４、ロール紙をカッティングするカッタ１３５とカッタ溝１３６等を備えている。排紙ローラ１３１は、モータから紙送りローラ１２５を介して伝達される駆動力により正逆回転駆動するようになっている。従動ローラ１３２は、バネ等の付勢部材により排紙ローラ１３１に押圧されており、排紙ローラ１３１の正回転駆動に追従して正回転するようになっている。排紙ローラ１３１とその従動ローラ１３２は、搬送されるロール紙を挟持してガイド板１３４へ送り出し、排紙口１３３から外部へ排紙するようになっている。
【００２４】
カッタ１３５は、刃先が下方を向くようにして、上下方向に昇降可能であって主走査方向に移動可能に配設されている。このカッタ１３５は、例えばソレノイド等により上下方向に昇降され、例えばベルト機構等により主走査方向に移動されるようになっている。なお、カッタ１３５をキャリッジ１２２に装着してキャリッジ１２２とともに主走査方向に移動するように構成しても良い。カッタ溝１３６は、カッタ１３５の直下の記録テーブル１２９に主走査方向に延びるように設けられている。このカッタ溝１３６は、カッタ１３５がロール紙を幅方向にカッティングする際に記録テーブル１２９を傷付けないように、ロール紙の下面から突出した刃先が入り込むことができる大きさに形成されている。
【００２５】
位置決め手段２００は、記録テーブル１２９に対して突出・収納可能に配設されている。この位置決め手段２００は、両面記録する場合のカット紙やロール紙のセッティング時に、記録テーブル１２９から突出してカット紙やロール紙の先端に当接し、カット紙やロール紙を位置決めするようになっている。このような機能を有する本発明の特徴的な部分である位置決め手段２００の詳細について図を参照して以下説明する。
【００２６】
図４は、第１の実施形態に係る位置決め手段を示す図である。この位置決め手段２１０は、図４(Ａ)に示すように、記録テーブル１２９に形成されているカッタ溝１３６内に配設された矩形板状の位置決め板２１１と、カッタ溝１３６の内側壁に固着された円筒状の２つのカムピン２１２を備えている。位置決め板２１１は、Ｌ字状の２つの足２１３が下端から突き出るように形成され、ユーザが指で摘んで操作するための突起２１４が右上端部から突き出るように形成されている。位置決め板２１１の下端と２つの足２１３との間には、２つのカムピン２１２が嵌め込まれるＬ字状の２つのカム溝２１５が形成されている。
【００２７】
このような構成の位置決め手段２１０において、通常は、図４(Ａ)に示すように、位置決め板２１１はカッタ溝１３６内に収納された状態、すなわちカム溝２１５の上部にカムピン２１２が位置して、位置決め板２１１の上端はカッタ溝１３６の上端から引っ込んだ状態にある。そして、両面記録する場合は、ユーザが突起２１４を指で摘んで位置決め板２１１を一旦上昇させた後に搬送直交方向左に水平移動させる。
【００２８】
これにより、図４（Ｂ）に示すように、位置決め板２１１はカッタ溝１３６から持ち上げられた状態、すなわちカム溝２１５の下部にカムピン２１２が位置して、位置決め板２１１の上端はカッタ溝１３６の上端から突き出た状態になる。このとき、カムピン２１２は、足２１３に形成されている凹部２１３ａに嵌め込まれるので、位置決め板２１１の上端がカッタ溝１３６の上端から突き出た状態で固定されることになる。
【００２９】
続いて、ユーザは、カット紙やロール紙の先端を位置決め板２１１の上端に当接させ、カット紙やロール紙を位置決めする。そして、位置決め板２１１の上端をカッタ溝１３６の上端から引っ込めて、カット紙やロール紙の表面に記録する。その後、再び位置決め板２１１の上端をカッタ溝１３６の上端から突き出させ、カット紙を裏返し、ロール紙はカッティングしてから裏返す。
【００３０】
そして、再びカット紙やロール紙の先端を位置決め板２１１の上端に当接させ、カット紙やロール紙を位置決めする。そして、再び位置決め板２１１の上端をカッタ溝１３６の上端から引っ込めて、カット紙やロール紙の裏面に記録する。以上により、ユーザはカット紙やロール紙を高精度にセッティングすることができるので、カット紙やロール紙の表裏面の記録位置ズレの発生を減少させることができる。
【００３１】
図５は、第２の実施形態に係る位置決め手段を示す図である。この位置決め手段２２０は、図５(Ａ)に示すように、記録テーブル１２９に形成されているカッタ溝１３６内に配設された矩形板状の位置決め板２２１と、カッタ溝１３６の内側壁に固着された円筒状の２つのカムピン２２２を備えている。位置決め板２２１は、２つのカムピン２２２が嵌め込まれるＺ字状の２つのカム溝２２５が穿設され、ユーザが指で摘んで操作するための突起２２４が右上端部から突き出るように形成されている。
【００３２】
このような構成の位置決め手段２２０において、通常は、図５(Ａ)に示すように、位置決め板２２１はカッタ溝１３６内に収納された状態、すなわちカム溝２２５の上部左端にカムピン２２２が位置して、位置決め板２２１の上端はカッタ溝１３６の上端から引っ込んだ状態にある。そして、両面記録する場合は、ユーザが突起２２４を指で摘んで位置決め板２２１を一旦搬送直交方向左へ水平移動させた後に上昇させ、さらに搬送直交方向左へ水平移動させる。これにより、図５（Ｂ）に示すように、位置決め板２２１はカッタ溝１３６から持ち上げられた状態、すなわちカム溝２２５の下部右端にカムピン２２２が位置して、位置決め板２２１の上端はカッタ溝１３６の上端から突き出た状態になる。
【００３３】
続いて、ユーザは、カット紙やロール紙の先端を位置決め板２２１の上端に当接させ、カット紙やロール紙を位置決めする。そして、位置決め板２２１の上端をカッタ溝１３６の上端から引っ込めて、カット紙やロール紙の表面に記録する。その後、再び位置決め板２２１の上端をカッタ溝１３６の上端から突き出させ、カット紙を裏返し、ロール紙はカッティングしてから裏返す。
【００３４】
そして、再びカット紙やロール紙の先端を位置決め板２２１の上端に当接させ、カット紙やロール紙を位置決めする。そして、再び位置決め板２２１の上端をカッタ溝１３６の上端から引っ込めて、カット紙やロール紙の裏面に記録する。以上により、ユーザはカット紙やロール紙を高精度にセッティングすることができるので、カット紙やロール紙の表裏面の記録位置ズレの発生を減少させることができる。
【００３５】
図６は、第３の実施形態に係る位置決め手段を示す図である。この位置決め手段２３０は、図６(Ａ)に示すように、記録テーブル１２９に形成されているカッタ溝１３６内に配設された矩形板状の位置決め板２３１と、この位置決め板２３１の下部とカッタ溝１３６の内側壁に回動自在に取り付けられた棒状の２つのリンク２３２を備えている。位置決め板２２１は、ユーザが指で摘んで操作するための突起２３４が右上端部から突き出るように形成されている。
【００３６】
このような構成の位置決め手段２３０において、通常は、図６(Ａ)に示すように、位置決め板２３１はカッタ溝１３６内に収納された状態、すなわちリンク２３２が傾斜して、位置決め板２３１の上端はカッタ溝１３６の上端から引っ込んだ状態にある。そして、両面記録する場合は、ユーザが突起２３４を指で摘んで位置決め板２３１を搬送直交方向左へ移動させる。これにより、図６（Ｂ）に示すように、位置決め板２３１はカッタ溝１３６から持ち上げられた状態、すなわちリンク２３２が起立して、位置決め板２３１の上端はカッタ溝１３６の上端から突き出た状態になる。
【００３７】
続いて、ユーザは、カット紙やロール紙の先端を位置決め板２３１の上端に当接させ、カット紙やロール紙を位置決めする。そして、位置決め板２３１の上端をカッタ溝１３６の上端から引っ込めて、カット紙やロール紙の表面に記録する。その後、再び位置決め板２３１の上端をカッタ溝１３６の上端から突き出させ、カット紙を裏返し、ロール紙はカッティングしてから裏返す。
【００３８】
そして、再びカット紙やロール紙の先端を位置決め板２３１の上端に当接させ、カット紙やロール紙を位置決めする。そして、再び位置決め板２３１の上端をカッタ溝１３６の上端から引っ込めて、カット紙やロール紙の裏面に記録する。以上により、ユーザはカット紙やロール紙を高精度にセッティングすることができるので、カット紙やロール紙の表裏面の記録位置ズレの発生を減少させることができる。
【００３９】
図７は、第４の実施形態に係る位置決め手段を示す図である。この位置決め手段２４０は、図７(Ａ)、（Ｂ）に示すように、記録テーブル１２９に形成されているカッタ溝１３６内に配設された矩形板状の位置決め板２４１と、この位置決め板２４１の両端部にそれぞれ配設された２つの捩りコイルバネ２４２を備えている。位置決め板２４１は、下端がカッタ溝１３６の底面に軸支されて搬送方向に揺動自在に配設されている。そして、位置決め板２４１は、２つの捩りコイルバネ２４２の一端が挿入される矩形状の２つの穴２４３が穿設され、ユーザが指で摘んで操作するための突起２４４が右上端部から突き出るように形成されている。２つの捩りコイルバネ２４２は、中央及び他端がカッタ溝１３６の両端近傍の内側壁にそれぞれ突設された円筒状の２つのピン２４５、２４６に係止されており、２安定バネとして機能する。
【００４０】
このような構成の位置決め手段２４０において、通常は、図７(Ａ) 、（Ｂ）の実線で示すように、位置決め板２４１はカッタ溝１３６内に収納された状態、すなわち図７（Ｂ）に示す搬送方向下流側に倒れており、位置決め板２４１の上端はカッタ溝１３６の上端から引っ込んだ状態にある。このとき、位置決め板２４１は、捩りコイルバネ２４２に押さえ込まれるので、位置決め板２４１の上端がカッタ溝１３６の上端から引っ込んだ状態で固定されることになる。
【００４１】
そして、両面記録する場合は、ユーザが突起２４４を指で摘んで位置決め板２４１を搬送方向上流側に揺動させる。これにより、図７(Ａ) 、（Ｂ）の一点鎖線で示すように、位置決め板２４１はカッタ溝１３６から突出した状態、すなわち図７（Ｂ）に示す搬送方向上流側に倒れており、位置決め板２４１の上端はカッタ溝１３６の上端から突き出た状態になる。このとき、位置決め板２４１は、捩りコイルバネ２４２に押さえ込まれるので、位置決め板２４１の上端がカッタ溝１３６の上端から突き出た状態で固定されることになる。
【００４２】
続いて、ユーザは、カット紙やロール紙の先端を位置決め板２４１の上端に当接させ、カット紙やロール紙を位置決めする。そして、位置決め板２４１の上端をカッタ溝１３６の上端から引っ込めて、カット紙やロール紙の表面に記録する。その後、再び位置決め板２４１の上端をカッタ溝１３６の上端から突き出させ、カット紙を裏返し、ロール紙はカッティングしてから裏返す。
【００４３】
そして、再びカット紙やロール紙の先端を位置決め板２４１の上端に当接させ、カット紙やロール紙を位置決めする。そして、再び位置決め板２４１の上端をカッタ溝１３６の上端から引っ込めて、カット紙やロール紙の裏面に記録する。以上により、ユーザはカット紙やロール紙を高精度にセッティングすることができるので、カット紙やロール紙の表裏面の記録位置ズレの発生を減少させることができる。
【００４４】
図８は、第５の実施形態に係る位置決め手段を示す図である。この位置決め手段２５０は、記録テーブル１２９の両側に配設されているカット紙やロール紙の両側縁部を押える紙押え部１３７と一体的に形成されている。なお、図では一方の側のみを示す。位置決め手段２５０は、略矩形状の板金で成る本体部２５１の一辺が搬送直交方向に折り曲げられて紙押え部１３７として形成され、その対辺が搬送方向に折り曲げられて位置決め部２５２として形成されている。
【００４５】
そして、本体部２５１の残りの対辺は、プラスチック又は、金属より成る２本のガイド棒２５３に巻き付けられている。本体部２５１の巻き付け部分を含む２本のガイド棒２５３は、記録テーブル１２９に搬送直交方向に形成されている２本の平行溝２５４内に嵌め込まれている。これにより、位置決め手段２５０は、記録テーブル１２９上を搬送直交方向に移動可能となっている。
【００４６】
このような構成の位置決め手段２５０は、通常は、紙押え部１３７がカット紙やロール紙の両側縁部を押えることが可能な位置、すなわちカット紙やロール紙の幅に合わせて位置決めされている。そして、両面記録する場合は、位置決め部２５２がカット紙やロール紙の先端に当接することが可能な位置、すなわちカット紙やロール紙の幅より狭くなるように、ユーザが本体部２５１を押して平行溝２５４に沿って移動させる。
【００４７】
続いて、ユーザは、カット紙やロール紙の先端を位置決め部２５２に当接させ、カット紙やロール紙を位置決めする。そして、位置決め部２５２がカット紙やロール紙と干渉しないように、ユーザが本体部２５１を押して平行溝２５４に沿って退避させて、カット紙やロール紙の表面に記録する。その後、再び位置決め部２５２がカット紙やロール紙の先端に当接することが可能な位置となるように、ユーザが本体部２５１を押して平行溝２５４に沿って移動させ、カット紙を裏返し、ロール紙はカッティングしてから裏返す。
【００４８】
そして、再びカット紙やロール紙の先端を位置決め部２５２に当接させ、カット紙やロール紙を位置決めする。そして、再び位置決め部２５２がカット紙やロール紙と干渉しないように、ユーザが本体部２５１を押して平行溝２５４に沿って退避させて、カット紙やロール紙の裏面に記録する。以上により、ユーザはカット紙やロール紙を高精度にセッティングすることができるので、カット紙やロール紙の表裏面の記録位置ズレの発生を減少させることができる。
【００４９】
図９は、第６の実施形態に係る位置決め手段を示す図である。この位置決め手段２６０は、基本的には図７に示す位置決め手段２４０と同一構成であり、矩形板状の位置決め板２６１と、この位置決め板２６１の両端部にそれぞれ配設された２つの捩りコイルバネ２６２を備えている。そして、この位置決め手段２６０は、位置決め板２６１にカット紙やロール紙に帯電する静電気を放出する帯電防止テープ２６７が貼着されている点で、図７に示す位置決め手段２４０と異なる構成となっている。したがって、位置決め板２６１は、接地可能な箇所に取り付ける必要があり、この例では、板金で成るガイド板１３４と記録テーブル１２９の境界部分に取り付けられている。
【００５０】
すなわち、ガイド板１３４に配設された位置決め板２６１は、下端がガイド板１３４の底面に軸支されて搬送方向に揺動自在に配設されている。そして、位置決め板２６１は、２つの捩りコイルバネ２６２の一端が挿入される矩形状の２つの穴２６３が穿設され、ユーザが指で摘んで操作するための突起２６４が右上端部から突き出るように形成されている。２つの捩りコイルバネ２６２は、中央及び他端がガイド板１３４の両端にそれぞれ突設された円筒状の２つのピン２６５、２６６に係止されており、２安定バネとして機能する。
【００５１】
このような構成の位置決め手段２６０において、通常は、図９の実線で示すように、位置決め板２６１はガイド板１３４と記録テーブル１２９との間に収納された状態、すなわち搬送方向下流側に倒れており、位置決め板２６１の上端は記録テーブル１２９の上端から引っ込んだ状態にある。このとき、位置決め板２６１は、捩りコイルバネ２６２に押さえ込まれるので、位置決め板２６１の上端が記録テーブル１２９の上端から引っ込んだ状態で固定されることになる。
【００５２】
そして、両面記録する場合は、ユーザが突起２６４を指で摘んで位置決め板２６１を搬送方向上流側に揺動させる。これにより、図９の一点鎖線で示すように、位置決め板２６１はガイド板１３４と記録テーブル１２９との間から突出した状態、すなわち搬送方向上流側に倒れており、位置決め板２６１の上端は記録テーブル１２９の上端から突き出た状態になる。このとき、位置決め板２６１は、捩りコイルバネ２６２に押さえ込まれるので、位置決め板２６１の上端が記録テーブル１２９の上端から突き出た状態で固定されることになる。
【００５３】
続いて、ユーザは、カット紙やロール紙の先端を位置決め板２６１の上端に当接させ、カット紙やロール紙を位置決めする。そして、位置決め板２６１の上端を記録テーブル１２９の上端から引っ込めて、カット紙やロール紙の表面に記録する。このとき、カット紙やロール紙の裏面が帯電防止テープ２６７と接触するので、カット紙やロール紙に帯電している静電気は放出される。その後、再び位置決め板２６１の上端を記録テーブル１２９の上端から突き出させ、カット紙を裏返し、ロール紙はカッティングしてから裏返す。
【００５４】
そして、再びカット紙やロール紙の先端を位置決め板２６１の上端に当接させ、カット紙やロール紙を位置決めする。そして、再び位置決め板２６１の上端を記録テーブル１２９の上端から引っ込めて、カット紙やロール紙の裏面に記録する。このとき、カット紙やロール紙の表面が帯電防止テープ２６７と接触するので、カット紙やロール紙に帯電している静電気は放出される。以上により、ユーザはカット紙やロール紙を高精度にセッティングすることができるので、カット紙やロール紙の表裏面の記録位置ズレの発生を減少させることができる。
【００５５】
なお、上述した第１〜第４または第６の実施形態の位置決め手段２１０、２２０、２３０、２４０または２６０の位置決め板２１１、２２１、２３１、２４１または２６１は、カッタ溝１３６またはガイド板１３４の全長に亘って１枚で配設しても良く、また、複数枚に分けて配設しても良い、さらには、カッタ溝１３６またはガイド板１３４の一端側のみに配設するようにしても良い。また、上述した第６の実施形態の帯電防止テープ２６７は、第１〜第５の実施形態の位置決め手段２１０、２２０、２３０、２４０、２５０の位置決め板２１１、２２１、２３１、２４１、位置決め部２５２が接地可能であれば貼着するようにしても良い。
【００５６】
脚部１４０は、図１及び図２に示すように、移動用のコロ１４１を有する２本の支持柱１４２を備えている。そして、支持柱１４２の上部に本体部１１０が載置されネジ止め固定されるようになっている。支持柱１４２に移動用のコロ１４１が配設されていることにより、重量のある本体部１１０を所望の位置へスムーズに移動させて設置することができるようになっている。
【００５７】
給紙部１５０は、図１及び図３に示すように、本体部１１０の下方であって脚部１４０の間に配設されており、ロール紙の両端を支持する一対の支持部１５１、ロール紙を給送する送り出しローラ１５２とピンチローラ１５３を備えている。さらに、支持部１５１が固定されているとともに、送り出しローラ１５２とピンチローラ１５３の各両端が軸支されている一対のアーム部１５４を備えている。このような構成の給紙部１５０の詳細について、さらに図１０を参照して以下説明する。
【００５８】
図１０は、上記給紙部１５０の詳細を示す斜視図である。一対の支持部１５１は、対向配置される一対のアーム部１５４の対向面にそれぞれ固定して取り付けられている。そして、一対の支持部１５１は、軸受が内蔵されており、ロール紙の内周部に貫装されてロール紙を支持するスピンドルの両端を回動自在に軸支持するようになっている。
【００５９】
すなわち、スピンドルは、中央にロール紙が嵌め込まれてロール紙の両側に一対のフランジ状のロール紙押さえが嵌め込まれ、一対の支持部１５１の間に架け渡されるようになっている。ユーザは、スピンドルが取り付けられたロール紙を持ち上げて、スピンドルの両端を一対の支持部１５１に嵌め込むのみでロール紙の装着を完了させることができるので、ロール紙のセッティング作業工数を大幅に減少させることができる。
【００６０】
送り出しローラ１５２とピンチローラ１５３は、各両端が対向配置される一対のアーム部１５４の対向面にそれぞれ回動自在に軸支持されている。すなわち、送り出しローラ１５２とピンチローラ１５３は、一対のアーム部１５４の間に架け渡されるようにして配設されている。そして、送り出しローラ１５２の両端は一対のアーム部１５４の対向面の一定箇所に軸支持されているが、ピンチローラ１５３は送り出しローラ１５２に対して当接・離間可能なように、ピンチローラ１５３の両端軸は一対のアーム部１５４の対向面に設けられた例えば溝内を移動可能に軸支持されている。そして、ピンチローラ１５３は、送り出しローラ１５２に対して当接した位置及び離間した位置にて、例えばアーム部１５４の対向面に設けられた係止部材と付勢部材等を用いたロック機構によりロックされるようになっている。
【００６１】
ユーザは、支持部１５１に内蔵されている軸受により、ロール紙の先端部を容易に引き出すことができるとともに、ピンチローラ１５３の移動機構により、ロール紙の先端部を送り出しローラ１５２とピンチローラ１５３の間に容易に挿入・挟持させることができるので、ロール紙のセッティング作業工数を大幅に減少させることができる。
【００６２】
一対のアーム部１５４は、脚部１４０の２本の支持柱１４２の対向面にそれぞれ図示矢印方向に回動自在に取り付けられている。そして、一対のアーム部１５４の回動は、ロール紙のセッティング位置とロール紙の給紙位置にて、例えば支持柱１４２の対向面に設けられた係止部材と付勢部材等を用いたロック機構によりロックされて位置決めされるようになっている。
【００６３】
すなわち、一対のアーム部１５４をロール紙のセッティング位置に回動させたときは、送り出しローラ１５２とピンチローラ１５３はインクジェット式プリンタ１００の前面側に飛び出し、一対のアーム部１５４をロール紙の給紙位置に回動させたときは、送り出しローラ１５２とピンチローラ１５３はインクジェット式プリンタ１００の背面側に回り込んで、ロール紙の搬送経路と接続されるようになっている。
【００６４】
ユーザは、ロール紙の先端部を送り出しローラ１５２とピンチローラ１５３の間に挿入・挟持させる際、インクジェット式プリンタ１００の背面側に潜り込まなくても、インクジェット式プリンタ１００の前面側にて通常の立ち位置で作業を行うことができるので、ロール紙のセッティング作業工数を大幅に減少させることができる。
【００６５】
なお、一対の支持部１５１は、対向配置される一対のアーム部１５４の対向面にそれぞれ固定して取り付けられ、アーム部１５４とともに回動する構成としたが、脚部１４０の２本の支持柱１４２の対向面に取り付けられたアーム部１５４の回動軸と同芯の軸にそれぞれ固定して取り付けるように構成しても同様の効果を奏する。すなわち、アーム部１５４の回動とは無関係に常に一定位置に固定された支持部１５１としても良い。
【００６６】
以上のように、本実施形態のインクジェット式プリンタ１００によれば、位置決め手段２００を備えることにより、カット紙やロール紙の先端を基準にカット紙やロール紙を位置決めすることができるので、カット紙やロール紙を高精度にセッティングすることができる。さらに、カット紙やロール紙のセッティング時にスキューが若干発生した場合でも、記録搬送時にカット紙やロール紙の側端面が捲れて変形することは無く、カット紙やロール紙の表裏面の記録精度を向上させることができる。
【００６７】
また、位置決め手段２１０、２２０、２３０は、記録テーブル１２９にて上下動自在に配設されており、上昇して記録テーブル１２９から突出し、下降して記録テーブル１２９に収納される。また、位置決め手段２４０、２６０は、記録テーブル１２９にて搬送方向に揺動自在に配設されており、一方側に揺動して記録テーブル１２９から突出し、他方側へ揺動して記録テーブル１２９に収納される。また、位置決め手段２５０は、搬送直交方向に移動自在であってカット紙やロール紙の両側縁部を押える紙押え部１３７に形成されている。したがって、カット紙やロール紙への記録時には位置決め手段２１０、２２０、２３０、２４０、２５０、２６０を退避させておくことができ、位置決め手段２１０、２２０、２３０、２４０、２５０、２６０とカット紙やロール紙との無用な干渉を防止することができる。
【００６８】
以上、本発明を種々の実施形態に関して述べたが、本発明は以上の実施形態に限られるものではなく、特許請求の範囲に記載された発明の範囲内で、他の実施形態についても適用されるのは勿論である。例えば、上述した実施形態では、記録装置としてインクジェット式プリンタを例に説明したが、これに限定されるものではなく、両面記録可能な記録装置であれば、例えばファクシミリ装置、コピー装置等であっても適用可能である。
【産業上の利用可能性】
【００６９】
両面記録可能な記録装置であれば、例えばファクシミリ装置、コピー装置等であっても適用可能である。
【図面の簡単な説明】
【００７０】
【図１】本発明の実施の形態に係る記録媒体切断装置が適用された記録装置の１つであるインクジェット式プリンタの構成例を示す斜視図である。
【図２】図１のプリンタの主要部の内部構成例を示す斜視図である。
【図３】図１のプリンタの主要部の断面図である。
【図４】第１の実施形態に係る位置決め手段を示す図である。
【図５】第２の実施形態に係る位置決め手段を示す図である。
【図６】第３の実施形態に係る位置決め手段を示す図である。
【図７】第４の実施形態に係る位置決め手段を示す図である。
【図８】第５の実施形態に係る位置決め手段を示す図である。
【図９】第６の実施形態に係る位置決め手段を示す図である。
【図１０】図１のプリンタの給紙部の詳細を示す斜視図である。
【符号の説明】
【００７１】
１０  インクカートリッジ、１００  インクジェット式プリンタ、１１０  本体部、１１１  ハウジング、１１２  上蓋、１１３  前蓋、１２０  記録部、１２１  記録ヘッド、１２２  キャリッジ、１２３  ＦＦＣ、１２４  インクチューブ、１２５  紙送りローラ、１２６  従動ローラ、１２７  レール、１２８  キャリッジベルト、１２９  記録テーブル、１３０  排紙部、１３１  排紙ローラ、１３２  従動ローラ、１３３  排紙口、１３４  ガイド板、１３５  カッタ、１３６  カッタ溝、１３７  紙押え部、１４０  脚部、１４１  コロ、１４２  支持柱、１５０  給紙部、１５１  支持部、１５２  送り出しローラ、１５３  ピンチローラ、１５４  アーム部、１６０  インクカートリッジホルダ、１６１  ホルダ本体、１６２  カバー、１７０  操作パネル、２００、２１０、２２０、２３０、２４０、２５０、２６０  位置決め手段、２１１、２２１、２３１、２４１、２６１  位置決め板、２１２、２２２  カムピン、２３２  リンク、２５２  位置決め部、２１５、２２５  カム溝、２６７  帯電防止テープ
【図１】
2005066966.tif 000003
【図２】
2005066966.tif 000004
【図３】
2005066966.tif 000005
【図４】
2005066966.tif 000006
【図５】
2005066966.tif 000007
【図６】
2005066966.tif 000008
【図７】
2005066966.tif 000009
【図８】
2005066966.tif 000010
【図９】
2005066966.tif 000011
【図１０】
2005066966.tif 000012